(57)【要約】      （修正有）【課題】多数の使用態様を有し、好みに応じて簡単に使用態様を変えることができ、腰回りもしっかりあったかくすることができる炬燵布団を提供する。【解決手段】円形又は略方形状の布団本体と、前記布団本体の周端部から延出する少なくとも一つ以上の長尺状舌片部１６ａ、１６ｂにより構成する。さらに、前記長尺状舌片部の先端部及び基端部に折り畳み用係着具２４ｂ等を設け、前記長尺状舌片部がその先端部から前記布団周端部の延長線に向かうスリット部を有し、前記長尺状舌片部のスリット部の周縁部にスリット部閉鎖用係着具３０ｂ等を設ける。前記長尺状舌片部の先端部と基端部とを係着せしめることで、前記長尺状舌片部が折り畳み可能とされ、前記スリット部閉鎖用係着具により前記スリット部が閉鎖可能にする。【選択図】図３
0003170047.tif 000002
【実用新案登録請求の範囲】
【請求項１】
円形又は略方形状の布団本体と、前記布団本体の周端部から延出する少なくとも一つ以上の長尺状舌片部を含み、前記長尺状舌片部の先端部及び基端部に折り畳み用係着具を設け、前記長尺状舌片部がその先端部から前記布団周端部の延長線に向かうスリット部を有し、前記長尺状舌片部のスリット部の周縁部にスリット部閉鎖用係着具を設け、前記長尺状舌片部の先端部と基端部とを係着せしめることで、前記長尺状舌片部が折り畳み可能とされ、前記スリット部閉鎖用係着具により前記スリット部が閉鎖可能とされてなることを特徴とする炬燵布団。
【請求項２】
前記折り畳み用係着具及びスリット部閉鎖用係着具が、ボタンであることを特徴とする請求項１記載の炬燵布団。
【請求項３】
前記長尺状舌片部を折り畳んだ状態の折り畳み端部が、前記布団本体の周端部と略面一とされることを特徴とする請求項１又は２記載の炬燵布団。
【請求項４】
前記長尺状舌片部が相対向して２つ設けられてなることを特徴とする請求項１〜３いずれか１項記載の炬燵布団。
【考案の詳細な説明】
【技術分野】
【０００１】
本考案は、腰回りもしっかりあったくなるようにした新規な炬燵布団に関する。
【背景技術】
【０００２】
従来、炬燵布団としては、正方形や長方形、或いは円形といった形のものが主流であり、布団本体の布団周端部は一様な長さとされている。
【０００３】
また、例えば特許文献１には、うたた寝ができるようにした炬燵布団が開示されている。
【０００４】
しかしながら、これら従来の炬燵布団では、炬燵に入った際に、腰と炬燵布団との間に隙間が空いてしまい、腰に冷気があたって寒いという問題があった。
【０００５】
また、例えば、従来の特許文献１では、通常の使用態様とうたた寝の使用態様という２つの態様での使用しかできず、使い勝手が悪いという問題もあった。
【先行技術文献】
【特許文献】
【０００６】
【特許文献１】特開２０００−１２１０６７号公報
【考案の概要】
【考案が解決しようとする課題】
【０００７】
本考案は、上記した従来技術の問題点に鑑みてなされたものであり、多数の使用態様を有し、好みに応じて簡単に使用態様を変えることができ、腰回りもしっかりあったかくすることができる炬燵布団を提供することを目的とする。
【課題を解決するための手段】
【０００８】
上記課題を解決するために、本考案の炬燵布団は、円形又は略方形状の布団本体と、前記布団本体の布団周端部から延出する少なくとも一つ以上の長尺状舌片部を含み、前記長尺状舌片部の先端部及び基端部に折り畳み用係着具を設け、前記長尺状舌片部がその先端部から前記布団周端部の延長線に向かうスリット部を有し、前記長尺状舌片部のスリット部の周縁部にスリット部閉鎖用係着具を設け、前記長尺状舌片部の先端部と基端部とを係着せしめることで、前記長尺状舌片部が折り畳み可能とされ、前記スリット部閉鎖用係着具により前記スリット部が閉鎖可能とされてなることを特徴とする。
【０００９】
このように構成することで、（１）前記長尺状舌片部を折り畳んでおけば、炬燵に座った際に従来の炬燵布団と同様の使用ができる（折り畳み態様）し、（２）前記長尺状舌片部を伸ばしてスリット部を開放させた状態で炬燵に座って腰に巻き付けての使用もできる（腰巻回態様）し、（３）前記長尺状舌片部を伸ばしてスリット部を閉鎖させた状態で炬燵に寝転がれば、掛け布団のように被って使用もできる（掛け布団態様）し、（４）前記長尺状舌片部を伸ばしてスリット部を開放させた状態で炬燵に座って肩に掛けての使用もできる（肩掛け態様）。すなわち、４通りもの態様での使用が可能である。
【００１０】
前記布団本体の形状としては、円形状のものや、略正方形や略長方形といった略方形状のものに適用できる。
【００１１】
また、前記折り畳み用係着具及びスリット部閉鎖用係着具としては、ボタン、面ファスナー、ファスナーなどいずれの係着具も適用可能であるが、ボタンであるのが好ましい。
【００１２】
さらに、前記長尺状舌片部を折り畳んだ状態の折り畳み端部が、前記布団本体の布団周端部と略面一とされるのが好適である。このように構成することで、前記長尺状舌片部を折り畳んで従来の炬燵布団と同様の使用をする際に、違和感なく使用できるという利点がある。
【００１３】
少なくとも一つ以上の長尺状舌片部があればよいものであるが、前記長尺状舌片部が相対向して２つ設けられる構成とすることもできる。特に、一人暮らしの家には便利である。
【考案の効果】
【００１４】
本考案によれば、多数の使用態様を有し、好みに応じて簡単に使用態様を変えることができ、腰回りもしっかりあったかくすることができる炬燵布団を提供することができるという著大な効果を奏する。
【図面の簡単な説明】
【００１５】
【図１】本考案の炬燵布団の一つの実施の形態を示す平面図である。
【図２】本考案の炬燵布団の折り畳み態様を示す斜視図である。
【図３】本考案の炬燵布団の腰巻回態様を示す斜視図である。
【図４】本考案の炬燵布団の掛け布団態様を示す斜視図である。
【図５】本考案の炬燵布団の肩掛け態様を示す斜視図である。
【考案を実施するための形態】
【００１６】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１７】
図において、符号１０は本考案の炬燵布団一つの実施の形態を示す。
【００１８】
炬燵布団１０は、略方形状の布団本体１２と、前記布団本体１２の布団周端部１４から延出する長尺状舌片部１６ａ，１６ｂを含み、前記長尺状舌片部１６ａ，１６ｂのそれぞれの先端部１８ａ，１８ｂ及び基端部２０ａ，２０ｂに折り畳み用係着具２２ａ，２４ａ，２２ｂ，２４ｂを設け、前記長尺状舌片部１６ａ，１６ｂがその先端部１８ａ，１８ｂから前記布団周端部１４の延長線２６ａ，２６ｂに向かうスリット部２８ａ，２８ｂを有し、前記長尺状舌片部１６ａ，１６ｂのスリット部２８ａ，２８ｂの周縁部にスリット部閉鎖用係着具３０ａ，３０ｂ，３２ａ，３２ｂが設けられている。そして、前記長尺状舌片部１６ａ，１６ｂの先端部１８ａ，１８ｂと基端部２０ａ，２０ｂとをそれぞれ係着せしめることで、前記長尺状舌片部１６ａ，１６ｂがそれぞれ折り畳み可能とされており、また、前記スリット部閉鎖用係着具３０ａ，３０ｂ，３２ａ，３２ｂにより前記スリット部２８ａ，２８ｂがそれぞれ閉鎖可能とされている。
【００１９】
図示の例では、布団本体１２としては、略正方形状とした略方形状のものを示したが、略長方形状などの他の略方形状や、円形状でも適用可能である。
【００２０】
また、図示の例では、前記長尺状舌片部１６ａ，１６ｂを相対向して２つ設けた構成を示したが、少なくとも一つ以上の長尺状舌片部があればよいものである。例えば、略方形状とした布団本体の４方向の全てに長尺状舌片部を設ける構成としてもよい。
【００２１】
図示例において、折り畳み用係着具２２ａ，２４ａ，２２ｂ，２４ｂ及びスリット部閉鎖用係着具３０ａ，３０ｂ，３２ａ，３２ｂとしては、ボタンの例を示したが、ボタン以外にも、面ファスナー、ファスナーなどいずれの係着具も適用可能である。
【００２２】
また、前記長尺状舌片部１６ａ，１６ｂのスリット部２８ａ，２８ｂを開放した先端部１８ａ，１８ｂの片端には折込み部３８ａ，３８ｂが設けられており、後述する腰巻回態様では、この折込み部３８ａ，３８ｂを折込むことで、前記長尺状舌片部１６ａ，１６ｂの１８ａ，１８ｂが使用者Ｐの腰回りに係止せしめられる構成とされている。
【００２３】
図２に、炬燵布団１０の折り畳み態様を示す。図２では、前記スリット部閉鎖用係着具３０ａ，３０ｂ，３２ａ，３２ｂにより前記スリット部２８ａ，２８ｂがそれぞれ閉鎖されている。そして、前記折り畳み用係着具２２ａ，２４ａ，２２ｂ，２４ｂにより、前記長尺状舌片部１６ａ，１６ｂの先端部１８ａ，１８ｂと基端部２０ａ，２０ｂとをそれぞれ係着せしめることで、前記長尺状舌片部１６ａ，１６ｂが折り畳まれた状態となっている。なお、符号３４は、炬燵テーブルを示し、布団本体１２の上に載せられている。この態様では、炬燵に座った際に従来の炬燵布団と同様の使用ができる。また、この態様では、前記長尺状舌片部１６ａ，１６ｂが折り畳まれた状態となっているため、コンパクトであり、収納する際に便利である。
【００２４】
さらにまた、図示の例では、図２によく示されるように、前記長尺状舌片部１６ａ，１６ｂを折り畳んだ状態の折り畳み端部３６ａ，３６ｂが、前記布団本体１２の布団周端部１４と略面一とされている。
【００２５】
図３に、炬燵布団１０の腰巻回態様を示す。図３では、相対向する長尺状舌片部１６ａは図２と同様に折り畳まれているが、長尺状舌片部１６ｂについては、前記スリット部２８ｂが開放されており、先端部１８ｂを使用者Ｐの腰に巻回させた状態となっている。この態様では、炬燵に座っている際に腰と炬燵布団との間に隙間が空いてしまい腰に冷気があたることがないため、腰回りまでしっかりとあったかくすることができる。
【００２６】
なお、図３に示した例では、前記長尺状舌片部１６ｂの先端部１８ｂの片端に設けられた折込み部３８ｂを折込むことで、前記長尺状舌片部１６ｂの先端部１８ｂが使用者Ｐの腰回りに係止せしめられる構成を示した。また、前記長尺状舌片部を伸ばしてスリット部を開放させた状態で使用者の腰に巻き付けられるようにすればよいものであるから、上記した係止のさせ方等に特別の限定はない。
【００２７】
図４に、炬燵布団１０の掛け布団態様を示す。図４では、相対向する長尺状舌片部１６ａは図２と同様に折り畳まれているが、長尺状舌片部１６ｂについては、前記スリット部２８ｂが一部開放されており、寝そべった使用者Ｐの顔だけが炬燵布団１０から出た状態となっている。この態様では、炬燵に寝そべった状態で掛け布団のように使用でき、寝そべった使用者Ｐの顔だけが炬燵布団１０から出た状態となるため、うたた寝の際などに全身をあたためることができる。
【００２８】
従来の特許文献１のような炬燵布団では、寝そべった際に、肩と炬燵布団との間に隙間が空いてしまい、冷気が入り込んで肩が冷えてしまうという問題があったが、本考案の炬燵布団１０では、図４に示すように、寝そべった使用者Ｐの顔だけが炬燵布団１０から出た状態となるため、肩までしっかりあたためることができる。
【００２９】
次に、図５に炬燵布団１０の肩掛け態様を示す。図５では、相対向する長尺状舌片部１６ａは図２と同様に折り畳まれているが、長尺状舌片部１６ｂについては、前記スリット部２８ｂが開放されており、炬燵に座った状態の使用者Ｐの肩に長尺状舌片部１６ｂが掛けられた状態となっている。この態様では、炬燵に座った状態で肩掛けのように使用できるので、肩が出て寒いと感じる時などに使用すれば、肩までしっかりあたためることができる。
【００３０】
なお、炬燵布団１０の材質としては、特に限定はないが、例えば、布団本体１２の裏面をボア毛布やマイヤー毛布といった毛布とし、表面をゴブラン織生地などで作製し、内側に綿や羽毛などを詰めるように構成すれば、中掛け毛布等を必要とせず、炬燵布団１０だけで充分にあったかくできる。
【００３１】
このようにしては、本考案の炬燵布団１０では、４通りもの態様での使用が可能であり、好みに応じて簡単に使用態様を変えることができ、必要に応じた態様で使用することが可能である。
【符号の説明】
【００３２】
１０：本考案の炬燵布団、１２：布団本体、１４：布団周端部、１６ａ，１６ｂ：長尺状舌片部、１８ａ，１８ｂ：先端部、２０ａ，２０ｂ：基端部、２２ａ，２４ａ，２２ｂ，２４ｂ：折り畳み用係着具、２６ａ，２６ｂ：布団周端部の延長線、２８ａ，２８ｂ：スリット部、３０ａ，３０ｂ，３２ａ，３２ｂ：スリット部閉鎖用係着具、３４：炬燵テーブル、３６ａ，３６ｂ：折り畳み端部、３８ａ，３８ｂ：折込み部、Ｐ：使用者。
【図１】
0003170047.tif 000003
【図２】
0003170047.tif 000004
【図３】
0003170047.tif 000005
【図４】
0003170047.tif 000006
【図５】
0003170047.tif 000007